(57)【特許請求の範囲】
【請求項１】
記録媒体に画像形成するヘッドと、
記録媒体搬送路を挟み、前記ヘッドに対向して配置されるプラテンと、
前記記録媒体搬送路の一方の側に配置される固定歯と、
前記記録媒体搬送路を挟み、前記固定歯と対向する位置に配置され、前記固定歯とともに前記記録媒体を切断する可動歯と、
前記記録媒体搬送路を挟み、前記可動歯の記録媒体搬送路に面する面に対向して配置され、切断完了時に前記可動歯の前記記録媒体搬送路に面する面とで前記記録媒体を挟持する押さえ部材と、
を備え、
前記押さえ部材は、
前記可動歯がホームポジションから回動するときに、前記記録媒体搬送路の方向に変位する担持体に着脱可能に取り付けられる画像形成装置。
【請求項２】
前記可動歯を駆動させる駆動板と、
前記駆動板に設けられる半径の長さが異なるカムと、
一端が前記担持体に回動可能に係止され、他端が前記カムに当接するアームと、
をさらに備える請求項１記載の画像形成装置。
【請求項３】
前記可動歯は、
回動することにより記録媒体を切断する請求項２記載の画像形成装置。
【請求項４】
記録媒体の切断完了時に、記録媒体搬送路を挟み、可動歯の記録媒体搬送路に面する面に対向して配置される押さえ部材と、前記可動歯の前記記録媒体搬送路に面する面と、によって前記記録媒体を挟持する、画像形成装置の記録媒体切断方法であって、
前記押さえ部材は、
前記可動歯がホームポジションから回動するときに、前記記録媒体搬送路の方向に変位する担持体に着脱可能に取り付けられる画像形成装置の記録媒体切断方法。
【発明の詳細な説明】
【技術分野】
【０００１】
本発明の実施形態は、画像形成装置及び画像形成装置の記録媒体切断方法に関する。
【背景技術】
【０００２】
ロール状にまかれた記録媒体に画像形成する画像形成装置には記録媒体を切断するカッタを備えているものがある。このカッタには、記録媒体を完全に切り離すものと、切断した記録媒体が落下しないように一部を切り残すものがある。このいずれの方式により記録媒体を切り離すかは工場出荷時に部品を選択することにより行われるため、エンドユーザは画像形成装置の納入後に容易に切断方式の変更を行うことができない。
【０００３】
この点に関し、記録媒体の印刷面に対して垂直に駆動する可動歯を記録媒体切断後にも切断位置に停止させ、この可動歯と押さえ部材によって切断した記録媒体を挟持して記録媒体の落下を防止する技術が提案されている。
【０００４】
しかし、この技術によれば、記録媒体が印刷面に対して垂直方向に折れ曲がって挟持されるため、画像形成されて切断された記録媒体の一端がカールしてしまい、顧客に渡す際に見栄えが悪くなる。
【先行技術文献】
【特許文献】
【０００５】
【特許文献１】特開２００７−１１１８８０号公報
【発明の概要】
【発明が解決しようとする課題】
【０００６】
従って、記録媒体を完全に切り離す切断方式でありながら記録媒体がカールせずに挟持でき、さらにエンドユーザが記録媒体を挟持しない方式も容易に選択できる画像形成装置及び画像形成装置の記録媒体切断方法が求められている。
【課題を解決するための手段】
【０００７】
上記の課題を解決するために、本発明の一実施形態に係る画像形成装置は、記録媒体に画像形成するヘッドと、記録媒体搬送路を挟み、ヘッドに対向して配置されるプラテンと、記録媒体搬送路の一方の側に配置される固定歯と、記録媒体搬送路を挟み、固定歯と対向する位置に配置され、固定歯とともに記録媒体を切断する可動歯と、記録媒体搬送路を挟み、可動歯の記録媒体搬送路に面する面に対向して配置され、切断完了時に可動歯の記録媒体搬送路に面する面とで記録媒体を挟持する押さえ部材と、を備え、押さえ部材は、可動歯がホームポジションから回動するときに、記録媒体搬送路の方向に変位する担持体に着脱可能に取り付けられる。
【図面の簡単な説明】
【０００８】
【図１】可動歯がホームポジションにある場合の画像形成装置の側面図である。
【図２】駆動板が回転した場合を示す画像形成装置の側面図である。
【図３】担持体及び押さえ部材を示す斜視図である。
【発明を実施するための形態】
【０００９】
以下、画像形成装置及び画像形成装置の記録媒体切断方法の一実施形態について、図面を用いて詳細に説明する。
【００１０】
本実施形態の画像形成装置は、記録媒体に画像形成するヘッドと、記録媒体搬送路を挟み、ヘッドに対向して配置されるプラテンと、記録媒体搬送路の一方の側に配置される固定歯と、記録媒体搬送路を挟み、固定歯と対向する位置に配置され、固定歯とともに記録媒体を切断する可動歯と、記録媒体搬送路を挟み、可動歯の記録媒体搬送路に面する面に対向して配置され、切断完了時に可動歯の記録媒体搬送路に面する面と記録媒体を挟持し、記録媒体の搬送時に挟持していた記録媒体を開放する押さえ部材と、を備える。
【００１１】
図１は、可動歯１４がホームポジションにある場合の、本実施形態に係る画像形成装置１の側面図である。図２は、駆動板１７が回転した場合を示す画像形成装置１の側面図である。
【００１２】
図１及び図２に示すように、画像形成装置１は、記録媒体Ｐに画像形成するヘッド１１と、記録媒体搬送路を挟み、ヘッド１１に対向して配置されるプラテン１２と、記録媒体搬送路の一方の側に配置される固定歯１３と、記録媒体搬送路を挟み、固定歯１３と対向する位置に配置され、固定歯１３とともに記録媒体を切断する可動歯１４と、を備える。
【００１３】
画像形成装置１はさらに、記録媒体搬送路を挟み、可動歯１４の記録媒体搬送路に面する面に対向して配置され、切断完了時に可動歯１４の記録媒体搬送路に面する面と記録媒体を挟持し、記録媒体の搬送時に挟持していた記録媒体を開放する押さえ部材１６と、を備える。
【００１４】
押さえ部材１６は、記録媒体搬送路の方向に回動可能な担持体１５に着脱可能に取り付けられる。
【００１５】
画像形成装置１は、可動歯１４を駆動する円盤状の駆動板１７を備える。駆動板１７は歯車であってもよい。駆動板１７は平面部にピン１７Ａを備える。
【００１６】
画像形成装置１は、一端が係止部２１Ｂにより可動歯１４に回動可能に係止され、ピン１７Ａを挿通する切り欠き部２１Ａを備える第１のアーム２１を備える。第１のアームは図示しない支点に回動可能に係止される。
【００１７】
駆動板１７が回転するとピン１７Ａが回転する。ピン１７Ａが回転すると第１のアーム２１が支点を中心に変位し、可動歯１４を記録媒体搬送路の方向に回動させる。従って、記録媒体は固定歯１３と可動歯１４によって切断される。
【００１８】
画像形成装置１の記録媒体切断方式は、可動歯が回動することにより固定歯とともに記録媒体を切断する、いわゆるロータリーカット方式であることが、構成を簡単にする点において望ましい。また、ロータリーカット方式はカッタの寿命が長い点においても有利である。
【００１９】
駆動板１７はさらに、異なる半径を有するカム１８を備える。画像形成装置１は、一端がピン体１９Ａにより担持体１５に回動可能に係止され、他端にカム１８に接するローラ部１９Ｂを有し、ガイド２０によって変位方向が規制される第２のアーム１９を備える。
【００２０】
駆動板１７が回転するとカム１８が回転する。カム１８が回転すると第２のアーム１９が変位する。第２のアーム１９の変位によって担持体１５が回動する。
【００２１】
第１のアーム２１は端部に突起部２１Ｃを有する。画像形成装置１は、可動歯１４が記録媒体を切断する前の位置であるホームポジションにあるときに突起部２１Ｃを検知するホームポジションセンサ２２を備える。
【００２２】
画像形成装置１は、制御部２３をさらに備える。制御部２３は印字コマンドを受信した場合、プラテン１２を回転させて記録媒体を搬送させながら画像形成する。制御部２３は切断コマンドを受信した場合、駆動板１７を回転させて可動歯１４を回動させ、記録媒体を切断する。
【００２３】
制御部２３は、ホームポジションセンサ２２が突起部２１Ｃを検知した場合、可動歯１４がホームポジションにあると判定し、駆動板１７の回転を停止させる。
【００２４】
この際、切断された記録媒体は可動歯１４の記録媒体搬送路に面する面と押さえ部材１６によって、折り曲げられずに挟持される。
【００２５】
図３は、担持体１５及び押さえ部材１６を示す斜視図である。図３に示すように、担持体１５は、両端部に穴１５Ｂを有するフランジ部１５Ａを備える。担持体１５は記録媒体の幅方向、すなわち記録媒体搬送方向に垂直な方向に長い担持部１５Ｃを備える。
【００２６】
押さえ部材１６は担持部１５Ｃと嵌合する嵌合部１６Ａを備える。押さえ部材１６はゴム等の摩擦係数の高い弾性体を用いて形成される。
【００２７】
エンドユーザは、記録媒体を切断後、記録媒体が挟持されないことを欲する場合には、押さえ部材１６を担持体１５から取り外すことができる。
【００２８】
また、エンドユーザは、記録媒体を切断後、記録媒体が挟持されることを欲する場合には、押さえ部材１６を担持体１５に取り付けることができる。
【００２９】
以上述べたように、本実施形態の画像形成装置１は、記録媒体に画像形成するヘッド１１と、記録媒体搬送路を挟み、ヘッド１１に対向して配置されるプラテン１２と、記録媒体搬送路の一方の側に配置される固定歯１３と、記録媒体搬送路を挟み、固定歯１３と対向する位置に配置され、固定歯１３とともに記録媒体を切断する可動歯１４と、記録媒体搬送路を挟み、可動歯１４の記録媒体搬送路に面する面に対向して配置され、切断完了時に可動歯１４の記録媒体搬送路に面する面と記録媒体を挟持し、記録媒体の搬送時に挟持していた記録媒体を開放する押さえ部材１６と、を備える。
【００３０】
従って、記録媒体を完全に切り離す切断方式でありながら記録媒体がカールせずに挟持でき、さらにエンドユーザが記録媒体を挟持しない方式も容易に選択できるという効果がある。
【００３１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３２】
１１：ヘッド
１３：固定歯
１４：可動歯
１５：担持体
１６：押さえ部材
１７：駆動板
１８：カム
【図１】
0005925166.tif 000002
【図２】
0005925166.tif 000003
【図３】
0005925166.tif 000004